Podtech/llm-jp-corpus-v4-ja_patent huggingface dataset:
(57)【要約】【課題】    記録記入の従来のメモ日記帳に、実用的な時間割と予定項目欄を設定して、時間の観念を涵養し、目的達成のための行動力を強靭になす。【解決手段】    図併用日記帳のノート８の一部に、時計図の午前と午後の２４時間の時間割９を表示する。さらに予定項目１０、メモ日記の欄１１には、年月日、曜１２、天気１３などを記す。【選択図】  図３
2005193430.tif 000002
【特許請求の範囲】
【請求項１】
図併用の日記帳のカバー（７）付きノート（８）の上部に、時間割（９）、予定項目（１０）、メモ日記（１１）欄には、年月日、曜（１２）、天気（１３）記入、時間割欄には午前、午後の時計図を記入、時計図の起点（４）から円の中心点（５）までを棒線（６）で示し、外周（１）に時刻点（２）と数字（３）を記入する図併用の日記帳。
【請求項２】
時計図の起点（４）から円の中心点（５）までを棒線（６）で示し、外周（１）に時刻点（２）と任意の箇所のみ数字（３）を記入する請求項１記載の図併用の日記帳。
【請求項３】
時計図の外周（１）に時刻点（２）と数字（３）を記入する請求項１記載の図併用の日記帳。
【請求項４】
時計図の外周（１）に時刻点（２）と任意の箇所のみ数字（３）を記入する請求項２、記載の図併用の日記帳。
【発明の詳細な説明】
【発明の詳細な説明】
【技術分野】
【０００１】  本発明は、メモ日記帳に時計図と予定項目を添付記載に関するものである。
【背景技術】
【０００２】  従来の日記帳は、その日の主だった事柄を記入し、記録として保存するものであった。
【発明が解決しょうとする課題】
【０００３】  従来からの日記帳は大旨、記録し保存を目的としたもので、過去の記録として書き残した。
【課題を解決するための手段】
【０００４】  上記の目的を達成するために、本発明の図併用の日記帳においては、過去の記録に留まらず、限定する一日２４時間を積極的に活用する。有効かつ綿密に。
【０００５】  時を浪費するなかれ、人生は時によってなりぬ。がしかし、言葉のうえで分かっていても、実際に時を浪費してしまう。時計図に記入することで、時間の観念を認識することができる。
【０００６】  就眠、食事、排出、洗顔等の必要不可欠な時間を差し引いた残りが、活用できる有効時間であり、時計図に記入によって、いかに少ないかが現実に分かる。
【０００７】  日々の予定事項の着実な履行は、充実した人生を送る一里塚ともいえる。
【発明を実施するための最良の形態】
【０００８】  発明の実施の形態を実施例にもとずき図面を参照して説明する。
図１において、時計図の起点、０時の４から円の中心点５までを棒線６で示す。外周１に時刻点２と数字３を記入する。【０００９】  図２において、時計図の起点、２４時の４から円の中心点５までを棒線６で示す。【００１０】  図３において、図併用日記帳の一部に、時計図の午前と午後の２４時間の時間割９を表示する。さらに予定項目１０、メモ日記の欄１１には、年月日、曜１２、天気１３などを記す。【００１１】  図４において、起床時刻を円の中心５から赤の線で記入する。起点なら円の中心点５までと棒線６との間を斜線を施し、前日の就床時刻を点線で表示し、就眠時間を明記する。【００１２】  内輪の予定記入線はエンピツを使い予定種目を記入しておく。【００１３】  図５において、就床時刻を円の中心５から赤の線で記入する。起点から円の中心点５までと棒線６との間を斜線を施す。【００１４】  外輪２２は実行線である。実行したことを区切り、種目を記入する。【００１５】  図６において、予定項目欄である。重要実行項目には赤の点２７を記入し、実行して完了したら、赤のチェック２８を記入する。【００１６】  図７において、時計図の外周に施す数字を任意の箇所のみにする。【００１７】  図８において、時計図の外周に施す数字と時刻点のみにする。【００１８】  図９において、時計図の外周に施す時刻点と、任意の箇所の数字のみにする。
【発明の効果】
【００１９】  本発明は、以上説明したように構成されているので、以下に記載されるような効果を奏する。
【００２０】  時計図掲載により、明確な就眠時間が把握でかできる。
【００２１】  時計図掲載で的確な時間の有効利用が促進できる。従って、それまでの漠然たる時間の観念が、新たに現実ものとなる。
【００２２】  予定項目欄の設置によって、着実に必要事項等の達成を可能にする。
【００２３】  実用かつ現実的な時計図、予定項目欄の記入ほか、従来からのメモ日記を記入することで、慣習上の日記を付けるという、安堵感に落ち着くことができる。
【図面の簡単な説明】
【図１】  時計図の０から円の中心点までを棒線で示す図である。
【図２】  時計図の２４から円の中心点までを棒線で示す図である。
【図３】  カバーを開き図併用日記帳の全容を示す図である。
【図４】  ０時から１２時まで午前中の就眠時間と起床時刻、前日の就床時刻などを表示した時計図である。
【図５】  １２時から２４時まで午後の就床時刻などを表示した時計図である。
【図６】  予定項目欄の重要事項予定に赤点を、実行を完了に赤のチェックを記入する。
【図７】  時計図の外周に施す数字を任意の箇所のみにする。
【図８】  時計図の外周に施す数字と時刻点のみにする。
【図９】  時計図の外周に施す時刻点と、任意の箇所の数字のみとする。
【符号の説明】
１  時計図の外周
２  時計図の時刻点
３  数字
４  起点
５  円の中心
６  起点から円の中心までの棒線
７  図併用日記帳のカバー
８  ノート
９  時間割表示
１０  予定項目表示
１１  メモ日記表示
１２  年月日と曜表示
１３  天気表示
１４  仕切線
１５  赤線記入の起床時刻
１６  就眠中の斜線
１７  点線は前日の就床時刻
１８  内輪は予定記入線
１９  準備
２０  朝食
２１  雑用
２２  外輪は実行記入線
２３  帰宅中
２４  夕食
２５  入浴
２６  就床時刻記入の赤線
２７  赤の点
２８  赤のチェック
【図１】
2005193430.tif 000003
【図２】
2005193430.tif 000004
【図３】
2005193430.tif 000005
【図４】
2005193430.tif 000006
【図５】
2005193430.tif 000007
【図６】
2005193430.tif 000008
【図７】
2005193430.tif 000009
【図８】
2005193430.tif 000010
【図９】
2005193430.tif 000011
(57)【要約】      （修正有）【課題】簡単、早い、奇麗汚れない、汚さないと言うローラー塗装機を提供する。【解決手段】ローラーにカバーをつける事により回転時の飛び散りを防ぎ、塗料圧送タンクと供給調整レバーをつける事により必要な分の塗料を供給し残存塗料のボタ落ちを防ぐ事が出来る。又ローラーの前後をコテ刷毛と合体させコテ刷毛の先端部を尖らせた形状にする事により、又先端部専用塗料タンクを別につける事により塗料が内部から滲み出る構造とし、養生不要で隅部分、端部も塗装可能となった。又ローラー部、先端部とも塗料が圧送されるので天井等のやりにくい部分も汚さず、汚れず塗装工事が可能となった。【選択図】図１
2005193220.tif 000002
【特許請求の範囲】
【請求項１】
ローラー部分の上部３分の２程度にカバーをつけ、ローラーを中心として前後にコテ刷毛を付けた合体構造を特徴とする塗装機。
【請求項２】
コテ刷毛部分の前部先端部に独立した塗料タンクを付け、ローラーに塗料を供給する部分の後部に圧送タンクを付け、コテ刷毛前部とローラー部に別々に又は同時に塗料を圧送出来ると言う構造を特徴とする塗装機。
【発明の詳細な説明】
【発明の詳細な説明】
【技術分野】
【０００１】  本発明は従来型のローラー塗装機の欠点を全て解決し、早く簡単に汚れない、汚さないと言う新しい構造を持ったローラー塗装機である。
【背景技術】
【０００２】  塗装工事においてローラー塗装機はもっとも多く使われている塗装機である。簡単である程度早く広い面積を奇麗に仕上げる事が出来る。しかしローラーの回転を利用しているため、その遠心力で塗料の粒があたり一面に飛び散ると言う欠点を持っており、又ローラーであるため上下左右の端面は塗装が出来ない。又ローラーに塗料を着けた時、凸凹面を塗装する時に強く塗装面に押し当てた時にはたびたび塗料がボタ落ちして塗装不可面に付着する。特に天井部分の塗装は使い勝手としてはローラーが優れているが飛び散りボタ落ちが激しく起こる。その為にほとんと全ての塗装不可面に確実な養生が必要であり、養生材はほとんどが使い捨てであるため養生手間と養生材費が結構かかり、又ごみも発生する。このような大規模養生の上でローラーによる塗装工事を行なっているのが現状である。
【発明が解決しようとする課題】
【０００３】  比較的簡単に早く奇麗に塗装する事が出来るローラー塗装機であるが、円形のローラーを回転させて塗料を塗装面に付着させると言う構造的使用方法により回転時の遠心力により塗料が粒になって飛び散るのは避けられない。
【０００４】  円形ローラーと言う構造上、入隅コーナー部分、壁と天井の境目、コンセントケース等の付いた部分など全ての縁に当る部分には塗装出来ないのでそれらの部分は毛刷毛等の別の塗装道具を使う必要がある。
【０００５】  壁面はそのほとんどが何らかの凸凹模様が付いており、その凹部分へ奇麗に塗料を付けるためローラーを強く壁面に押しつける必要がある。この押しつける時においてローラーに浸透していた塗料が床等にボタ落ちして汚してしまうと言う事が避けられない。
【０００６】  以上のような状況が必ず起きると言う前提で塗装工事を行なう必要があるためかなりの大部分の塗装不可面には必ず丁寧な養生を施してからでないと塗装工事が出来ない。
【０００７】  本発明は以上のようなローラー塗装機の欠点を全て解決し、簡単、早い、奇麗汚れない、汚さないと言うローラー塗装機を提供するものである。
【課題を解決するための手段】
【０００８】  新しい構造で作られたローラー塗装機はローラーの上部約３分の２をカバーで覆った構造になっている。そして塗料を貯めて圧送するタンクが取付けられているため、塗装に必要な塗料量を必要なだけローラーに自動的に供給出来る構造になっている。塗料をローラーに供給するための穴は通常はローラーの毛によって塞がれており回転と同時に毛によって塗料が引き出されるためローラーの回転の早い遅いに関わらず適量の塗料が供給され即座に塗装面に塗装されるため余分な塗料がローラーにほとんど残存しないため強く押さえてもボタ落ちしない。回転による飛び散りも残存塗料が少ないと言う事とカバーにより防止出来る。
【０００９】  ローラーを中心として、その前後にコテ刷毛の一部を合体させた構造になっている。コテ刷毛の前部分は、すでに特許出願済の特願２００３−１２８４９１のコテ刷毛の前部分と同じ構造になっており、この構造により塗装不可面との境目にも養生なしで塗装が可能となり、又ローラーでは塗装不可能な部分にも一つの塗装機で塗装が可能となる。
【発明を実施するための最良の形態】
【００１０】  まず図１（Ａ）で塗料の流れを説明する。１のキャップを外して塗料を注入する。２の塗料タンク部分はシャバラ構造になっており塗料が空の状態では縮んだ状態になっている。それを引き上げストッパーに引っかけて止め、塗料を注入する。そしてストッパーを解除するとジャバラタンクが縮もうとする力で塗料が圧送される。圧送されタンクを出た塗料は３のパイプを通り４の塗料止栓に導かれる。９のレバーを回す事により８の前部塗料タンク及び５の塗料供給パイプを通って６のローラーに塗料が供給される。前部タンクに導かれた塗料は１０の構造板に空けられた穴からスポンジに浸透し１１のフェルトに浸透して塗装面に塗る事が出来る。９のレバーの位置により前部タンクとローラー同時に、又それぞれに独立して供給する事が出来る。【００１１】  塗料を圧送する事によりローラー塗装機を例えば天井塗装に使う場合にも壁面塗装の垂直面に使用する場合にも床面塗装の水平面に使用する場合にも全ての面、角度にも関わらずタンクから塗料を供給しての塗装が可能となった。又前部コテ刷毛部分での養生なしでの塗装は特願２００３−１２８４９１の通りである。
【発明の効果】
【００１２】  以上の説明の通り、従来からのローラー塗装機による塗装工事の欠点をすべて解決し養生なしでの簡単、早い、奇麗、汚れない、汚さない、養生によるゴミの出ない塗装工事が可能となり、養生材、養生手間が省け、低価格での塗装工事が可能となった。
【図面の簡単な説明】
【図１】  （Ａ）は本発明の塗装機の側面の断面図である。（Ｂ）は本塗装機の下部平面図である。
【図２】  （Ｃ）は本塗装機の上部平面図である。
【符号の説明】
１、塗料注入口キャップ
２、ジャバラ式圧送塗料タンク
３、塗料供給パイプ
４、塗料供給開閉栓
５、ローラー部用塗料供給パイプ
６、ローラー
７、ローラー回転軸
８、前部先端部塗料タンク
９、塗料供給調整レバー
１０、構造材
１１、フェルト
１２、柄
１３、フォーム（スポンジ）
１４、先端タンク用塗料供給パイプ
【図１】
2005193220.tif 000003
【図２】
2005193220.tif 000004
(57)【要約】【課題】  有機汚泥を未利用資源として有効活用する為には、汚泥中の含水が問題となる。  多孔質な木質細片を充填した容器内中央部に、底に扉を設けた微細な、多孔を有する円筒を設け、その中に有機汚泥を流し込む事により、汚泥中の含水率を下げることが出来、有機汚泥が未利用資源として有効活用が可能となる。【解決手段】  多孔質な木質細片（１）を充填した容器（２）の中央部に、底に排出用扉（５）を設けた微細な多孔を有する円筒形の筒（３）を置き、その中へ有機汚泥を流し込み、水圧による絞り効果と多孔質な木質細片（１）による濾過・分解・脱臭作用にて固液を分離せしめる。【選択図】  図  １
2005193217.tif 000002
【特許請求の範囲】
【請求項１】
多孔質な木質細片を充填した容器の中央部に、底に扉を設けた微細な多孔を有する円筒形の筒を置き、その中へ有機汚泥を流し込み、水圧による絞り効果と木質細片による濾過作用にて、固液を分離せしめることを特徴とする有機汚泥脱水装置。
【請求項２】
有機汚泥が多孔質な木片細片を充填した容器内に於いて、固液分離を計るため、臭成分を多孔質木片細片が吸収し、且つ微生物が分解処理するため、臭いの発生を抑える効果を持つことを特徴とする有機汚泥脱水装置。
【発明の詳細な説明】
【発明の詳細な説明】
【技術分野】
【０００１】  本発明は、有機汚泥を未利用資源として有効活用を図る際、重要な役割を果たす有機汚泥脱水装置である。
【背景技術】
【０００２】  従来有機汚泥を固液分離する方法として、濾紙等フィルターによる濾過、遠心脱水機、沈殿等の方法が採られているが、それぞれ短所を持つ。例えば、フィルターの目詰まり、遠心脱水機の動力エネルギー及び高コスト。沈殿の場合、時間的制約等の欠点がある。
【発明の開示】
【発明が解決しようとする課題】
【０００３】  従来、有機汚泥を未利用資源として有効活用しようとする場合、問題となるのは、腐敗による悪臭の発生であり、更に固液分離、即ち脱水の困難さであった。本発明の有機汚泥脱水装置は、多孔質木質細片内に発生する微生物によって、臭成分が分解除去されるため、臭問題が解決し、更に動力を全く必要としないため、無騒音であり、且つフィルターの類を使用しないため、目詰まり等の問題が生じない。
【問題を解決するための手段】
【０００４】  本発明の有機汚泥脱水装置は、多孔質に加工された木質細片を充填した容器の中央部に、底に扉を設けた微細な多孔を有する円筒形の筒を置き、その中へ有機汚泥を流し込み、水圧による絞り効果と木質細片による濾過、分解、脱臭を同時に行う事を特徴とする。
【発明の実施するための最良の形態】
【０００５】  以下に図を用いて本発明の実施の形態について説明する。図１は、本発明の原理を説明するための概略断面図である。同図に於いて、微細な多孔を有する木質細片（１）を容器（２）に充填し、その中央部に、底に排出用扉を設けた多孔を有する円筒形の筒（３）を置き、その中へ有機汚泥を流し込む。
【０００６】  多孔を有する円筒形の筒（３）に満たされた有機汚泥の内、溶融有機成分を含んだ液状分が円筒形の筒（３）の穴を通り、微細な多孔を有する木質細片の中へ進入していき、固形分を多く含む濃度の高い分は降下沈殿していく。降下沈殿した部分には、上からの水圧が加わり絞り効果が生じ、一層濃縮される。一定時間経過の後、排出用扉（５）を開け排出する。
【０００７】  一方、円筒形の筒（３）の穴を通り抜けた溶融有機成分を含んだ液状分は微細な多孔を有する木質細片（１）の中を通りながら、仕切板（４）を通過してドレンパイプ（６）を通り排出される。その際、溶融有機成分は木質細片の微細な多孔に吸収され、微生物により分解される。
【発明の効果】
【０００８】  以上の作用効果及び特徴として下記の諸項が挙げられる。
【０００９】  本発明によれば、従来の有機汚泥脱水装置に比べ、動力を必要とせず、従って、無騒音であり、且つローコスト、更には悪臭を抑え大量処理が可能である。本装置を用い生成された固形分を活用すれば安価な有機肥料を提供することが出来る。
【００１０】  水圧による絞り効果があり、且つ水中に溶解している有機成分は多孔質な木質細片に自然発生する微生物により分解するため、目詰まりを生じない。
【図面の簡単な説明】
【００１１】
【図１】  本発明の装置の原理を説明する概要断面図である。
【符号の説明】
【００１２】  １．  多孔質な木質細片
２．  容器
３．  多孔を有する筒
４．  仕切板
５．  排出扉
６．  ドレン
【図１】
2005193217.tif 000003
(57)【要約】【課題】本発明は、液体容器のポンプ式栓体に指をかける突部を設けることにより、両手でも片手でも容易に液体を注液する事の出来るポンプ注液式液体容器の栓体を提供する。【解決手段】ポンプ注液式液体容器（１）のポンプ式栓体（２）に指をかける突部（３）を設ける。これを使用するときはポンプ式栓体（２）を指で挟み、突部（３）に指をかけポンプを指又は手で押して（圧して）液体を排出する。ポンプ注液式液体容器は栓体に指をかける突部を設けることで、容器を指で固定しながら液体を排出することが出来るので、倒すことも減る。又手や指に負担をかけず、片手操作出来るので、乳児を抱いたままの注液や老人の介護、手すりを持ったままの注液、ペットの洗髪の際の注液、片手を負傷した人や片手を汚染された人の注液、消毒液の注液等の際負担をかけることなく液体を掌に受ける事が出来る。【選択図】図１
2005193967.tif 000002
【特許請求の範囲】
【請求項１】
液体容器のポンプ式栓体の部分に、指をかける突部を設けたポンプ注液式液体容器の栓体。
【請求項２】
ポンプ注液式液体容器のポンプ式栓体の突部、形状、取り付け場所は可能な限りとする。
【請求項３】
あらゆるポンプ式栓体に突部を設ける事を可能とする。
【発明の詳細な説明】
【技術分野】
【０００１】
本発明は、液体容器のポンプ式栓体に指をかける突部を設けることにより、両手でも片手でも容易に液体を注液する事の出来るポンプ注液式液体容器の栓体に関するものである。
【背景技術】
【０００２】
従来、液体を注液するのみにはポンプ注液式液体容器や水圧式の給水器で実用上十分であった。又手動操作部を設けた液体容器が提案される。ポンプ注液式ではなく、水圧式液体容器が提案される。
【特許文献１】特開２００１−１５８４６２号公報
【発明の開示】
【発明が解決しようとする課題】
【０００３】
これには、次のような欠点があった。
従来のポンプ注液式液体容器は栓体に開栓を容易に行うために凹凸を設けてあり、ポンプを両手で押すことは用意ではあるが液体の容量が少なくなると軽くなり容器ごと転倒する事がありその為の工夫は施されていなかった。
又片手での掌への注液は非常に困難であった。特に乳児やお年寄り、片手を負傷した人の介護、入浴等にあたっては片手で石鹸やシャンプー、リンスを注液する際のポンプ注液は大変困難で非常に指や腕に負担がかかっていた。水圧式の液体容器ではボタンを押すことによって水圧で注液するため液体石鹸やシャンプー、リンス等のポンプ注液式の液体容器には使用されていなかった。
本発明は、これらの欠点を解決するためになされたもなである。
【課題を解決するための手段】
【０００４】
ポンプ注液式液体容器（１）のポンプ式栓体（２）に指をかける突部（３）を設ける。
本発明は以下の構造からなるポンプ注液式液体容器の栓体である。
【発明の効果】
【０００５】
本発明のポンプ注液式液体容器はポンプ式栓体に指をかける突部を設けることで、容器を指で固定しながら液体を排出することが出来るので、倒すことも減る。又手や指に負担をかけず、片手操作出来るので、乳児を抱いたままの注液や老人の介護、手すりを持ったままの注液、ペットの洗髪の際の注液、片手を負傷した人や片手を汚染された人の注液、消毒液の注液等の際負担をかけることなく液体を掌に受ける事が出来る。
【発明を実施するための最良の形態】
【０００６】
以下、本発明の実施の形態を説明する。
ポンプ注液式液体容器（１）のポンプ式栓体（２）に指をかける突部（３）を設ける。
本発明は以上の構造からなるポンプ注液式液体容器で、これを使用するときはポンプ式栓体（２）を指で挟み、突部（３）に指をかけポンプを指又は手で押して（圧して）液体を排出する。
【実施例１】
【０００７】
図１は、液体容器の上部天井面にポンプ式栓体を取り付けたものである。
【実施例２】
【０００８】
図２は、液体容器の上部が折れた部分にポンプ式栓体を取り付けたものである。
【実施例３】
【０００９】
図３は、ポンプ式栓体部が折れ液体容器に取り付けたものである。
【実施例４】
【００１０】
図４は、ポンプ式栓体を液体容器の側面に取り付けたもので図５は図４の側面図である。
【実施例５】
【００１１】
図６は、本発明のポンプ注液式液体容器の栓体の実施図であり、片手もしくは両手を使い実施したものである。
【産業上の利用可能性】
【００１２】
ポンプ注液式液体容器の栓体を使用する実施場所例を上げると、入浴場・飲食店・病院・介護施設・老人ホーム・乳幼児保育所・学校・美容室・ペットショップ・工場等、手や腕に負担をかけずに液体を注液する事のある、使用可能なあらゆる場所で利用する事ができる。
【図面の簡単な説明】
【００１３】
【図１】ポンプ注液式液体容器の栓体の実施方法を示した説明図である。（実施例１）
【図２】ポンプ注液式液体容器の栓体の実施方法を示した説明図である。（実施例２）
【図３】ポンプ注液式液体容器の栓体の実施方法を示した説明図である。（実施例３）
【図４】ポンプ注液式液体容器の栓体の実施方法を示した説明図である。（実施例４）
【図５】ポンプ注液式液体容器の栓体の実施方法を示した図４の側面図である。（実施例４）
【図６】ポンプ注液式液体容器の栓体の実施方法を示した説明図である。（実施例５）
【符号の説明】
【００１４】
１    ポンプ注液式液体容器
２    ポンプ式栓体
３    突部
【図１】
2005193967.tif 000003
【図２】
2005193967.tif 000004
【図３】
2005193967.tif 000005
【図４】
2005193967.tif 000006
【図５】
2005193967.tif 000007
【図６】
2005193967.tif 000008
(57)【要約】【課題】  プリント基板の収納箱に於いて、プリント基板の収納効率を向上させる為に、前記プリント基板の間仕切りを任意の位置でスライド固定及び、間仕切りの増減を容易に行えるプリント基板の収納箱構造にある。【解決手段】  プリント基板の多品種・少量化生産に伴い、複数枚の該プリント基板を区分けする為、複数枚の間仕切りを任意の位置までスライドさせ、且つ前記間仕切りの増減を自由に行う事により、異なるサイズの前記プリント基板を容易に複数枚収納が行う事が可能なプリント基板の収納箱を提供する事にある。【選択図】      図２
2005193956.tif 000002
【特許請求の範囲】
【請求項１】
複数枚のプリント基板を整理収納する箱に於いて、所定の箱内で収納効率を向上させる為に、前記プリント基板同士を接触させない様なスライド間仕切りを具備し、任意の位置に該スライド間仕切りを自由にスライド及び、固定する事により、サイズの異なるプリント基板の混載収納を可能とした事を特徴としたプリント基板の収納箱。
【請求項２】
前記プリント基板のスライド間仕切りは、収納箱内の両サイド上下に該スライド間仕切りを案内するスライドレールを設け、間仕切りストッパの着脱により該スライドレールの両端より前記スライド間仕切りの増減を可能としたプリント基板の収納箱。
【請求項３】
前記収納箱内のスライドレールには前記スライド間仕切りを所定の間隔に固定可能な案内溝を設け、一定サイズのプリント基板の収納も行える事も可能としたプリント基板の収納箱。
【請求項４】
前記プリント基板の収納箱の底面及び、前記スライド間仕切りのプリント基板と接触する面に該プリント基板に外部からの衝撃を緩和させる為の緩衝材を設けた事を特徴とするプリント基板の収納箱。
【発明の詳細な説明】
【技術分野】
【０００１】
本発明は、プリント基板を複数枚収納する際の収納箱のスライド間仕切り構造に係わるものである。
【背景技術】
【０００２】
図３に示す如く、プリント基板収納箱６内に短手用中間仕切り１３と長手用中間仕切り１４を入れ、該間仕切り各々に設けた短手側スリット１５と長手側スリット１６により前記プリント基板収納箱６内の間仕切りを構成し、複数枚のプリント基板８を収納する為の部屋を設けていたが、短手側スリット１５と長手側スリット１６の数及び、スリット間隔によりプリント基板８の収納枚数あるいは、収納サイズが限定されるという弊害が生じていた。
【０００３】
図４に示す如く、プリント基板収納箱１９内にリベット２０にて固定されたサイドガイド板１８と基板ガイド板１７を挿入し、前記サイドガイド板１８に設けたガイド板溝２２に前記基板ガイド板１７の両端に設けた挿入金具２５を挿入し、プリント基板８の両端が前記基板ガイド板１７に設けた基板ガイド溝２１に挿入される事により、複数枚の前記プリント基板８を保持・収納していたが、収納効率の低下及び、ローコスト化には不向きな構造であった。
【発明の開示】
【発明が解決しようとする課題】
【０００４】
プリント基板の収納箱に於いて、プリント基板の収納効率を向上させる為に、前記プリント基板の間仕切りを任意の位置でスライド固定及び、間仕切りの増減を容易に行えるプリント基板の収納箱構造にある。
【課題を解決するための手段】
【０００５】
プリント基板の多品種・少量化生産に伴い、複数枚の該プリント基板を区分けする為、複数枚の間仕切りを任意の位置までスライドさせ、且つ前記間仕切りの増減を自由に行う事により、異なるサイズの前記プリント基板を容易に複数枚収納が行う事が可能なプリント基板の収納箱を提供する事にある。
【発明の効果】
【０００６】
本発明のプリント基板収納箱６では、複数枚のプリント基板８を互いに接触させない為のスライド間仕切り３の枚数増減が安価且つ容易に可能で、プリント基板８の収納効率を向上させる事が出来るという効果がある。
【発明を実施するための最良の形態】
【０００７】
図１に示す如く、プリント基板収納箱６内にスライドレール１を設け、該スライドレール１にてスライド間仕切り３が案内され、該スライド間仕切り３が自由にスライド可能となり、前記スライド間仕切り３にて複数枚のプリント基板８を互いに接触させる事無く、収納する。
【実施例１】
【０００８】
図２に本発明の実施例についての詳細を説明する。複数枚のプリント基板８を互いに接触させない為のスライド間仕切り３には、スライドレール１に案内される為のスライドワッシャ１０をワッシャ固定ピン１１にて保持し、前記スライド間仕切り３が前記スライドレール１上にてスライド可能となる。前記スライドレール１の内部にはシャフト案内溝２３を設け、所定の間隔にスライド間仕切り３を保持する事も可能である。前記シャフト案内溝２３の有無はどちらでも良く、複数枚の前記プリント基板８は互いに接触する事無く、収納出来る。
【０００９】
さらに図２に示す如く、スライドレール１の両端に間仕切りストッパ２４を設ける事によりスライド間仕切り３の抜け止めとなり、前記間仕切りストッパ２４の着脱により前記スライド間仕切り３の増減を自由に行う事が可能となり、プリント基板８の収納枚数増減が容易に行える。
【００１０】
また図２に示す本発明の実施例では、スライド間仕切り３をスライドレール１に案内させる為に、ワッシャ固定ピン１１にてスライドワッシャ１０をスライド間仕切り３に設けているが、前記スライドレール１に案内される構造であれば、前記スライド間仕切り３と一体構造でも別構造でも、構成可能である。
【図面の簡単な説明】
【００１１】
【図１】本発明に於けるプリント基板収納箱の実施例を示す斜視図。
【図２】本発明に於けるプリント基板収納箱内部詳細の実施例を示す斜視図。
【図３】従来例１に於けるプリント基板収納箱の斜視図。
【図４】従来例２に於けるプリント基板収納箱の斜視図。
【符号の説明】
【００１２】
１・・・スライドレール
２・・・取手
３・・・スライド間仕切り
４・・・積み重ねコーナ
５・・・フレームコーナ
６・・・プリント基板収納箱
７・・・コーナ金具
８・・・プリント基板
１０・・・スライドワッシャ
１１・・・ワッシャ固定ピン
１３・・・短手用中間仕切り
１４・・・長手用中間仕切り
１５・・・短手側スリット
１６・・・長手側スリット
１７・・・基板ガイド板
１８・・・サイドガイド板
１９・・・プリント基板収納箱
２０・・・リベット
２１・・・基板ガイド溝
２２・・・ガイド板溝
２３・・・シャフト案内溝
２４・・・間仕切りストッパ
２５・・・挿入金具
【図１】
2005193956.tif 000003
【図２】
2005193956.tif 000004
【図３】
2005193956.tif 000005
【図４】
2005193956.tif 000006
(57)【要約】【課題】対向する部分を均等に引き上げて、容易に開くことができる蓋を提供する。【解決手段】天壁１の外周各辺に側壁２，３を連設し、隣接する側壁２，３を連結片で繋ぎ合わせ、身Ｂに被せるようにした箱の蓋Ｌにおいて、対向する側壁３に、天壁１との稜部から下方へ切目線５を入れて摘み片６を設ける。これらの摘み片６を切り起こして摘むと、蓋Ｌの両側部分を均等に引き上げることができ、その際、摘み片６の抜け出した穴から空気が入るので、箱内の負圧が解消され、蓋Ｌを容易に開くことができる。【選択図】図４
2005193945.tif 000002
【特許請求の範囲】
【請求項１】
天壁の外周各辺に側壁を連設し、隣接する側壁を繋ぎ合わせ、身に被せるようにした箱の蓋において、対向する側壁に、天壁との稜部から下方へ切目線を入れて摘み片を設けたことを特徴とする箱の蓋。
【発明の詳細な説明】
【技術分野】
【０００１】
この発明は、ギフト箱等の身に被せられる蓋であって、開けやすくしたものに関する。
【背景技術】
【０００２】
一般に、ギフト箱は、図６に示すように、二重構造の周壁を有する身Ｂと、これに被せる蓋Ｌとから構成され、この蓋Ｌは、天壁５１の外周各辺に側壁５２，５３を連設し、隣接する側壁５２，５３を、その一方の側壁５２から延びる連結片５４で繋ぎ合わせたものとされている。
【発明の開示】
【発明が解決しようとする課題】
【０００３】
ところで、上記のような蓋Ｌを開ける際には、蓋Ｌの両側部分を均等に引き上げる必要があるが、蓋Ｌには、側壁５２，５３の下縁以外に指を掛ける部分がなく、この部分に指を掛けて引き上げると、身Ｂも共に持ち上げられて蓋Ｌを開けられない場合もある。
【０００４】
このため、蓋Ｌの両側面に手のひらを強く押し付けるようにして、手との間の抵抗で蓋Ｌを持ち上げるようにする場合が多いが、この方法では、手が滑りがちであり、作業性がよくないという問題がある。
【０００５】
そこで、この発明は、両側部分を均等に引き上げて、容易に開くことができる蓋を提供しようとするものである。
【課題を解決するための手段】
【０００６】
上記課題を解決するため、この発明は、天壁の外周各辺に側壁を連設し、隣接する側壁を繋ぎ合わせ、身に被せるようにした箱の蓋において、対向する側壁に、天壁との稜部から下方へ切目線を入れて摘み片を設けたのである。
【発明の効果】
【０００７】
このような箱の蓋は、摘み片を切り起こして摘むことにより、両側部分を均等に引き上げることができ、その際、摘み片の抜出穴から箱内に空気が入って負圧の発生が防止されるので、身から分離して容易に開くことができ、ギフト箱に適したものとなる。
【発明を実施するための最良の形態】
【０００８】
以下、この発明の実施形態を添付図面に基づいて説明する。
【０００９】
図１に示すように、この厚紙製の蓋Ｌのブランクでは、長方形の天壁１の外周をなす一対の辺に側壁２が、他対の辺に側壁３がそれぞれ連設され、各側壁２の両側縁から連結片４が延出されている。
【００１０】
各側壁２には、天壁１との境界から中間部へかけて、鉤形の切目が断続する２本の切目線５が入れられ、その先端部間が切り抜かれて、摘み片６が設けられている。
【００１１】
上記のようなブランクから蓋Ｌを組み立てるには、図２に示すように、天壁１から側壁２，３を下方へ折り曲げ、連結片４を内側へ折り曲げて、側壁３の内面に貼り付ける。
【００１２】
このように組み立てた蓋Ｌを、図３に示すように、商品を収納した身Ｂに被せると、側壁２，３が身Ｂの周壁外面に沿い、天壁１で身Ｂの上面開口が覆われる。
【００１３】
そして、この蓋Ｌを開いて、身Ｂから商品を取り出す際には、摘み片６の先端に指を掛けて、図４に示すように、切目線５を切断しつつ、摘み片６を引き起こして摘み、蓋Ｌの両側部分を引き上げる。
【００１４】
このように、摘み片６を切り起こして摘むと、蓋Ｌの両側部分を均等に引き上げることができ、その際、摘み片６の抜け出した穴から空気が入るので、箱内の負圧が解消され、蓋Ｌを容易に開くことができる。
【００１５】
なお、摘み片６は、上記のような形状に限定されず、図５に示すように、切目線５を天壁１まで切り込ませ、摘み片６の基部が天壁１へ回り込むようにしてもよい。
【図面の簡単な説明】
【００１６】
【図１】この発明の実施形態に係る蓋のブランクを示す図
【図２】同上の組立状態を示す斜視図
【図３】同上の蓋を身に被せた状態を示す斜視図
【図４】同上の蓋を開く過程を示す斜視図
【図５】他の実施形態に係る蓋を示す斜視図
【図６】従来の身と蓋とから成る箱を示す斜視図
【符号の説明】
【００１７】
１  天壁
２，３  側壁
４  連結片
５  切目線
６  摘み片
【図１】
2005193945.tif 000003
【図２】
2005193945.tif 000004
【図３】
2005193945.tif 000005
【図４】
2005193945.tif 000006
【図５】
2005193945.tif 000007
【図６】
2005193945.tif 000008
(57)【要約】      （修正有）【課題】従来の圧縮袋は、空気の逆流により使用上の目安が６か月間ぐらいと短期型であった圧縮袋をより長期間使用できるようにする。【解決手段】圧縮袋内部の空気を掃除機で吸い取り、圧縮後、圧縮袋本体１の封入口に接着されているゴムパッキング４はバインダー案内すべり台２に沿ってバインダー３を滑らせながら装着することにより、ゴムパッキング４を簡単に圧着できる。ゴムパッキング４にり、その気密性は長期間保持できる。【選択図】図３
2005193974.tif 000002
【特許請求の範囲】
【請求項１】
圧縮袋の封入口にゴムパッキング４を使用し、バインダー３を装着することにより、ゴムパッキング４を圧着、その気密性が保持され、長期間の使用ができるようにした圧縮袋。
【発明の詳細な説明】
【技術分野】
【０００１】本発明は、ふとん類をナイロン等の袋に封入し内部の空気を掃除機により吸い取り、ふとん類を圧縮し、その封入口をゴムパッキングにより密封して、長期間に、かつ、何回でも使用できるようにしたものである。
【背景技術】
【０００２】従来は、圧縮袋の封入口にゴムパッキングを使用したものはなかった。
【発明の開示】
【発明が解決しようとする課題】
【０００３】従来の圧縮袋の封入口は、材質および構造上、その処理が上手にできても、その効果は約６か月間ぐらいで、少しづつ空気の逆流があり、いつの間にかふとん類が元の状態にふくれあがり使用上の目安が短期間という問題点があった。
【課題を解決するための手段】
【０００４】圧縮袋本体１の封入口にゴムパッキング４を接着し、着脱自在のバインダー３をバインダー案内すべり台２にに沿って滑らせながら装着しゴムパッキング４を簡単に圧着できるようにした。
【発明の効果】
【０００５】圧縮袋内部の空気を掃除機で吸引後、封入口をバインダーにより簡単迅速に圧着密封できゴムパッキングによりその気密性が保持され長期間使用できるようにした。
【実施例】
【０００６】本発明は、圧縮袋１の封入口からふとん類を入れ、空気吸い取りのため封入口片端に挿入されている掃除機の筒の部分までバインダー３をバインダー案内すべり台２に沿ってすべらせながら装着する。掃除機により空気吸引圧縮ができたら、掃除機の筒を抜き取りバインダー３をさらに滑らせ封入口を全て圧着蜜封することにより、長期間の使用ができる。
【図面の簡単な説明】
【０００７】
【図１】    本発明の平面図である。
【図２】    本発明の断面図である。
【図３】    本発明の使用状態を示す断面図である。
【符号の説明】
【０００８】  １  圧縮袋本体
２  バインダー案内すべり台
３  バインダー
４  ゴムパッキング
【図１】
2005193974.tif 000003
【図２】
2005193974.tif 000004
【図３】
2005193974.tif 000005
(57)【要約】      （修正有）【課題】透明容器に装着された二種類の画像を描写したラベルから斬新的な立体画像を創造することにより興趣を増大させ、現在流通している同種類物との差別化、より多くの人々の注目度を高めること及び容器使用後の再利用を促進すること等である。【解決手段】透明容器１に、関連性のある二つの異なった画像を描写したラベル３Ａ，３Ｂを装着し、二つの画像と容器内部の液体を透視することにより、斬新的な遠近感のある立体画像を創造することができる。【選択図】図１
2005193977.tif 000002
【特許請求の範囲】
【請求項１】
液体を収容する透明容器のラベルに描写された画像と、その画像に対面する面に装着された別の画像を、容器内部の液体を挟んで透視することにより形成される画像が、一つの新しい立体的な合成画像として認識される構造。
【発明の詳細な説明】
【技術分野】
【０００１】  本発明は、ラベルの構造により立体画像を創造し、商品に対する興趣を増大させる。
【背景技術】
【０００２】  従来の透明容器上におけるラベルは、一面のみの平面的意匠であって、単にラベル上の画像情報を表現するのに止まっていた。本件は、対面する二つの異なった画像が一つの立体的画像を創造し、より臨場感の溢れる意匠表現の範囲を拡大することができる発明である。
【発明の開示】
【発明が解決しようとする課題】
【０００３】  本発明の課題は、容器正面と裏面に装着されたＡＢ二種類の画像を、容器内部の液体を挟んで透視することにより、遠近感を有する臨場感溢れる表現力豊かな一つの新しい立体画像を創造することにある。
このことによって、従来から流通している同種類のものとの差別化、より多くの人々の注目度を高めること、及び容器使用後は水筒としての用途や装飾容器として、利用者の趣向に応じ再利用の促進等が課題になる。
【課題を解決するための手段】
【０００４】  本件を解決するに当たっては二つの方法がある。第一の方法は、ガラスまたは樹脂等の透明容器１に、画像Ａを描写したラベル体３Ａ及び画像Ｂを描写したラベル体３Ｂを装着する。ラベル体３Ａは容器の正面に装着し、ラベル体３Ｂはラベル体３Ａに対面する面、即ち、容器の裏面に装着する。【０００５】  第二の方法は、画像Ａ・画像Ｂを描写した一枚のラベル体３Ｃを容器１に装着することにより構成される。ラベル体３Ｃ上の画像Ａは、容器正面に装着し、画像Ｂは画像Ａに対面する面に位置するように容器に巻き付けて装着する。【０００６】  この画像を容器内部の液体を挟んで正面から透視すると、二つの画像が重なり合い一つの新しい画像として認識される。この斬新的な画像は、極めて鮮明な印象を与えるため、視覚に訴える効果は大きい。
本件により、従来のラベルとの明確な区別が可能となり、人々の注目度も高まる。また、ラベルの意匠に対する趣向が、容器再利用の範囲を広める可能性も大きくなる。
【発明の効果】
【０００７】  以上、このラベルを装着し内容物を満たした容器全体を正面から透視すると、容器及び容器内部の液体は透明または半透明であるから、画像Ａ、容器内部の液体、画像Ｂがそれぞれ重なり合った一つの新しい画像を形成する。この形成された表現力の豊かな立体的な画像は、より斬新性の高い興趣に富んだ情報を提供する。
【発明を実施するための最良の形態】
【０００８】  前に述べたように、本発明を実施するには二つの方法がある。以下にその実施例を示す。
【実施例】
【０００９】  第１実施例は、画像Ａが描写されたラベル体３Ａと画像Ｂが描写されたラベル体３Ｂの二枚のラベルを、ガラスまたは樹脂等の透明材質の容器１に装着する。
容器正面には、画像Ａが描写されたラベル体３Ａの裏面を容器表面に装着し、容器上の画像Ａに対面する面には、ラベル体３Ｂの画像Ｂが描写された面を容器の表面に対して内側に向けて装着する。即ち、ラベル体３Ａの裏面を容器表面に、ラベル体３Ｂは画像Ｂが描写された面を容器表面に装着する。
この容器を正面から透視することにより、容器内部の液体を挟んで画像Ａと画像Ｂを特色づける一つの新たな画像を形成し、遠近感のある臨場感溢れる表現力の豊かな立体画像として認識される。【００１０】  第２実施例は第１実施例と同じく、容器にはガラスまたは樹脂等の透明材質を用い、樹脂等透明材質の一枚のラベル体３Ｃを装着する。ラベル面上には画像Ａと画像Ｂが描写されており、画像Ａを容器正面に装着すれば、画像Ｂは画像Ａに対面する位置に設定してあるので、このラベルを容器に巻き付けて装着する。
容器内部の液体を挟んで二つの画像を正面から透視することにより、第１実施例と同じく斬新的な立体画像として認識される。
【図面の簡単な説明】
【００１１】
【図１】  第１実施例においてラベルを装着した透明容器の斜視図である
【図２】  第１実施例におけるラベル体３Ａの模式図
【図３】  第１実施例におけるラベル体３Ｂの模式図
【図４】  第１実施例における透明容器の正面図
【図５】  第１実施例においてラベルを装着した容器のＤ−Ｄ線断面図
【図６】  第２実施例においてラベルを装着した透明容器の斜視図である
【図７】  第２実施例におけるラベル体３Ｃの模式図
【図８】  第２実施例における透明容器の正面図
【図９】  第２実施例におけるラベルを装着した容器のＤ−Ｄ線断面図
【符号の説明】
【００１０】  １      透明容器
２Ａ    画像Ａ
２Ｂ    画像Ｂ
３Ａ    画像Ａが描写されたラベル体
３Ｂ    画像Ｂが描写されたラベル体
３Ｃ    画像Ａと画像Ｂが描写されたラベル体
４      透明容器の断面
Ｄ−Ｄ  切断面
【図１】
2005193977.tif 000003
【図２】
2005193977.tif 000004
【図３】
2005193977.tif 000005
【図４】
2005193977.tif 000006
【図５】
2005193977.tif 000007
【図６】
2005193977.tif 000008
【図７】
2005193977.tif 000009
【図８】
2005193977.tif 000010
【図９】
2005193977.tif 000011
(57)【要約】      （修正有）【課題】飲料缶類を衛生的に保ち、また、熱缶類を素手で持てるようにする。【解決手段】透明なシュリンクフィルム１を缶よりやや大きめの円筒形に整形し、円の中心部に小穴２を設けて、缶に被覆し、このフィルムを加熱収縮によって缶に密着させる。【選択図】図１
2005193971.tif 000002
【特許請求の範囲】
【請求項１】
缶入り飲料において、缶の飲み口部分、もしくは缶の大部分をシュリンクフィルムで被覆してなる缶飲料。
【発明の詳細な説明】
【技術分野】
【０００１】  本発明は、飲料缶類の衛生と断熱に関するものである。
【背景技術】
【０００２】  従来の飲料缶には、缶体の上部をキャップしたものがあるが、下唇の触れる部分まで覆われたものはなく、不衛生であった。その対策として提案されている先行技術は、缶の上部から下唇のふれる部分までの周囲に、接着剤によってプラスチック紙を貼り付けるものであるが、製造コストに問題がある。
【特許文献１】特開平０９−０１２９８１号公報
【特許文献２】特開平０９−０３０５３４号公報
【発明の開示】
【発明が解決しようとする課題】
【０００３】  自動販売機の管理者は、飲料缶の飲み口が外気にさらされた不衛生な状態で管理し、戸外で自動販売機の扉を開き、売上金の集金をし、その手の洗浄を行わないまま飲料缶の補充をしている。購入者の一部には、缶の飲み口を、ハンカチーフやティッシュペーパーなどで拭き取ってから飲む者もいるが、缶のプルトップ部には凹凸があり、完全に拭き取るのは不可能である。飲料缶の構造上、プルトップのタブを起こすと、缶蓋の一部が、飲料水の中に浸かり、また、飲料水を飲むごとに、缶筒と缶蓋の接合部の溝に飲料水が溜まり、飲むごとにその溜まった飲料水をも飲み込むことになる。この不衛生な状況を解決する必要がある。
また、熱缶コーヒーなどの熱缶類は５５℃前後で保温されているため、熱缶の購入者は素手で持つには、数秒が限界であり、断熱のためにハンカチーフなどを使用しなければならない不便さを解決する必要がある。
【課題を解決するための手段】
【０００４】  本発明は、飲料缶類を衛生的に保ち、また、熱缶類を素手で持てるようにするために、缶体の飲み口部分全体もしくは缶の大部分に断熱効果のあるシュリンクフィルムを被覆し、フィルムの表面を加熱収縮によって缶に密着させる。
【発明の効果】
【０００５】  飲料缶類の缶体にシュリンクフィルムを被覆し、密着させることによって、缶体が外気から遮断され、有害物質や伝染病原菌などから汚染されることなく、安心して衛生的な飲料が飲めるという効果がある。【０００６】  熱缶類の缶体の大部分にシュリンクフィルムを被覆し、密着させることで、断熱効果があり、熱缶を素手で持つことができるようになるという効果がある。
【発明を実施するための最良の形態】
【０００７】  シュリンクフィルムを缶よりやや大きめの円筒形に整形し、缶に被覆し、フィルムの表面を加熱することによって収縮させ、缶体に密着させた剥離可能な衛生・断熱保持剤。
【実施例１】
【０００８】  図１の本発明の斜視図で説明すると、透明なシュリンクフィルムを缶よりやや大きめの円筒形に整形し、円の中心部に２小穴を設けて、缶に被覆し、このフィルムを加熱収縮によって缶に密着させる。２小穴は、フィルムの加熱中に、缶体上部のプルトップ部分の空気が、フィルムとの間で膨張し、フィルムが裂けることがあるため、膨張する空気の逃し口とした。缶体と被覆部分を完全密閉する時は、２小穴にハイバイヤーラベルを貼り付ける。また、缶の飲み口の裏側に設けた３接着部は、わずかの接着であるため、廃棄時にフィルムを剥離することができ、ゴミの分別処理が容易である。
【実施例２】
【０００９】  図３の本発明の斜視図で説明すると、従来の缶体に印刷されているメーカー名や品質表示を、缶自体に印刷せず、シュリンクフィルムに印刷する。これによって、缶の製造コストの削減を図るとともに、缶体の大部分を被覆できるため、飲料缶の販売者や自動販売機の管理者などが不衛生な手で触れても、また、外気によって缶体が汚染されても、安心して飲料水を飲むことができる。
【実施例３】
【００１０】  図５の本発明の斜視図のように、缶体の大部分にシュリンクフィルムを被覆し、密着させることで、熱缶コーヒーなどの熱缶類がフィルムの断熱効果によって、缶を持った時の熱さが緩和される。また、缶上部の２小穴をハイバリヤーラベルに、６剥離つまみをもうけ、缶の飲み口部分全体を剥離する。
【産業上の利用可能性】
【００１１】  衛生的で断熱効果のある飲料缶を提供するための必需品である。
【図面の簡単な説明】
【００１２】
【図１】  缶の上部にシュリンクフィルムを被覆し、密着させた斜視図である。
【図２】  図１の側面図である。
【図３】  缶体の大部分にシュリンクフィルムを被覆し、密着させた斜視図である。
【図４】  図３の側面図である
【図５】  熱缶類の飲み口のフィルム剥離部分の斜視図である。
【符号の説明】
【００１３】    １  シュリンクフィルム
２  小穴
３  接着部
４  缶体
５  フィルムの剥離口
【図１】
2005193971.tif 000003
【図２】
2005193971.tif 000004
【図３】
2005193971.tif 000005
【図４】
2005193971.tif 000006
【図５】
2005193971.tif 000007
(57)【要約】【課題】 各種廃液処理の固液分離のための浸漬型膜分離装置を使用するに際して、膜の目詰り等による破損を防止することにある。【解決手段】 曝気槽5の処理水7を固液分離するために、濾過膜4を設置し、吸引ポンプ3、吸引ゲージ圧力を計測する圧力計2を設置し、これらの装置及び手段を制御装置及び警報発信装置1に接続し、この制御装置及び警報発信装置1によって吸引装置を自動停止すると同時に、運転管理者に警報を発する。【効果】浸漬型膜分離装置を最適な状態に維持して、汚泥と処理水とを固液分離することができる。また、膜の目詰まり等による破損を防止することができる。さらに、運転管理を省力化できると同時に、大きな経済効果を挙げることができる。【選択図】図１
2005224678.tif 000002
【特許請求の範囲】
【請求項１】
大気圧下で有機性排水を処理するにあたって、排水中の懸濁物質と処理水とを固液分離する浸漬型平膜分離装置において、膜透過水を吸引するための吸引ポンプ、真空ポンプ等の吸引装置の吸引管に設けられた吸引ゲージ圧力を計測する圧力計の測定値が、予め設定された吸引ゲージ圧力に上昇した場合に、吸引装置の運転を自動的に停止する自動制御回路を備えた浸漬型膜分離装置及び運転管理方法。
【請求項２】
請求項１の自動制御回路に、吸引装置が自動的に停止した際に、停止したことを運転管理者に知らせる警報装置（有線或いは無線の遠隔警報装置を含む）が設けられている自動制御回路。
【発明の詳細な説明】
【技術分野】
【０００１】
本発明は、各種排水処理の浸漬型膜分離装置及び運転制御方法に関し、膜の目詰まり等に起因する濾過膜の濾過抵抗増大による濾過膜の破損を事前に防止するための浸漬型膜分離装置の自動制御による運転管理技術に関するものである。
【背景技術】
【０００２】
固液分離のために、浸漬型膜分離装置を運転するに際して、膜透過水を吸引ポンプ、真空ポンプ等の吸引装置にて吸引すると、時間の経過と共に、濾過面に懸濁物質等による膜の目詰まりが発生し、透過水流量が減少するとともに、濾過膜前後の差圧が増大する。この差圧が一定の限度を超えると、濾過膜が破損し、以降正常な運転を確保できなくなる。そのため従来は、吸引装置の吸引管に設置されている圧力計を監視しながら、一定の吸引ゲージ圧力に上昇した段階で、吸引装置の運転を手動停止し、膜のケミカル洗浄などを行う方法がもっぱら採用されている。しかしながら、実際の現場では、人手不足のために、吸引ゲージ圧力の監視が行き届かず、濾過膜の破損事故が多発しているのが現状である。
【０００３】
特開平９−１０３６６１号公報では、  曝気槽中の浸漬型膜分離装置において、吸引ポンプの吸引作用で原水中の透過水を各膜エレメントの内部に吸引し、採水口を介して採水するに、各膜エレメントの内部に洗浄薬液を注入し、膜の外に浸出させる洗浄薬液の加圧注入手段と、槽底に粗大気泡を噴出する散気管を設けることを開示している。
【０００４】
特開平11-028343号公報には、散気式曝気槽内の散気管から空気を噴出させて膜モジュールの膜面をエアースクラビング洗浄しつつ、吸引ポンプを間歇運転し、吸引ポンプの停止時にコンプレッサーと排出弁との交互操作で平膜エレメント内に空気を注入・排出することを数回行うことにより、平膜を洗浄、保護することが開示されている。
【０００５】
しかしながら、上記のいずれの方法においても、運転管理者による頻繁な監視を行わなければ、運転状況の変化による濾過膜の圧力損失増大による濾過膜破損を確実に防止することは困難である。
【特許文献１】特開平９−１０３６６１号公報
【特許文献２】特開平１１−０２８３４３号公報
【発明の開示】
【発明が解決しようとする課題】
【０００６】
固液分離のために、浸漬型膜分離装置を運転するに際して、膜透過水を吸引ポンプ、真空ポンプ等の吸引装置にて吸引すると、時間の経過と共に、膜に目詰まりを生じ、濾過膜前後の圧力差が増大し、膜を破損させてしまうことがある。そのため吸引装置の吸引配管に設置されている圧力計が、予め設定された吸引ゲージ圧力に達した段階で、吸引ポンプを自動停止させる措置をとり、膜の目詰まりによる膜の破損を確実に防止するとともに、浸漬型膜分離装置の運転管理を省力化し、効率の良い運転を実現することを目的としている。
【課題を解決するための手段】
【０００７】
本発明は、排水処理装置の曝気槽に処理水を固液分離する浸漬型膜分離装置を設置し、膜透過水を吸引するに際して、吸引ゲージ圧力を計測する圧力計の値が、予め設定された吸引ゲージ圧力に達した時に、吸引装置を自動停止させる措置をとり、膜の目詰まりによる膜の破損を確実に防止することを目的としている。
【０００８】
図１に示すように、曝気槽において、処理水７をブロアー６介して、散気管８から空気を噴出させ、濾過膜４で固液分離し、膜透過水を吸引ポンプ３で吸引するに際して、濾過膜４とポンプ３との間に圧力計２を設置し、圧力計の信号を制御装置１に接続することにより、吸引ポンプを自動的に停止させるとともに、運転管理者に警報を発するものである。
【発明の効果】
【０００９】
本発明により、濾過膜の目詰まり等により、濾過膜に過大な力が作用して破損することを確実に防止することができ、また運転管理を省力化することができる。更に、濾過膜を能力限度まで安心して使用することができ、洗浄作業の頻度を減らすことができ、経済効果の大きい発明である
【実施例】
【００１０】
鹿児島県のＣ養豚場は、豚舎から発生する糞尿混合液の汚濁が、通常BOD：20,000mg/l,SS：30,000mg/lと極めて高濃度である。嫌気性分解等の処理の後、曝気槽流入水は、ｐＨ：7.2、BOD：13,000mg/l、SS：15,000mg/lである。この曝気槽に、汚泥と処理水とを固液分離する浸漬型膜分離装置、膜透過水を吸引するための吸引ポンプおよび制御装置を設置した。
【００１１】
吸引ゲージ圧力を0.035MPaに設定し運転したところ、自動制御により起動停止が順調に働き、膜の目詰まり等による膜の破損を起こすこともなく、順調に運転できた。なお、従来は、圧力計を監視しながら吸引ゲージ圧力が、0.035MPa に達する前に吸引ポンプを手動により停止し、膜の目詰まり等による破損を防止していた。
【図面の簡単な説明】
【００１２】
【図１】本発明の一実施例の浸漬型膜分離装置の全体構成図である。
【符号の説明】
【００１３】
1制御装置及び警報発信装置
2圧力計
3吸引ポンプ
4濾過膜
5曝気槽
6ブロワー
7処理水
8散気管
【図１】
2005224678.tif 000003